(57)【特許請求の範囲】
【請求項１】
一色無模様のネット本体と、このネット本体の色と相俟って視覚上ネット模様を形成する色彩を有し、かつ、該ネット本体に編付けられる編着糸とから成る鳥害防止用ネット。
【請求項２】
請求項１に於いて、編着糸が、ネット本体に対して連続的な波状の膨らみ部を有するように連結されていることを特徴とする。
【請求項３】
請求項１に於いて、編着糸の端部が、ネット本体の周辺糸１ｃからフリンジ状に食み出していることを特徴とする鳥害防止用ネット。
【請求項４】
請求項１に於いて、ネット本体の色は緑系の有彩色であるのに対し、編着糸は金色系の有彩色であることを特徴とする鳥害防止用ネット。
【請求項５】
請求項１に於いて、ネット本体の色は青系の有彩色であるのに対し、編着糸は金色系の有彩色であることを特徴とする鳥害防止用ネット。
【発明の詳細な説明】
【０００１】
【発明の属する技術分野】
本発明は鳥害防止用ネット、特にゴミ収集場に一時的に集められた家庭用或いは業務用ゴミ袋内のゴミが、カラスによって散乱されるのを防止する鳥害防止用ネットに関する。
【０００２】
【従来の技術】
日常生活に於いて、家庭や職場から出るゴミは、区役所等のゴミ回収日に合わせて所定の場所に出される。現在、町内会や団地を管理する管理組合では、ゴミは指定されたゴミ袋に入れ、例えばゴミ収集場、電柱付近、塀の側など一箇所或いは数箇所に集中的に集め、集積したゴミに対しては、カラス対策として適当なネットを被せているのが一般的である。
【０００３】
しかしながら、前記ネットは、例えばゴルフネットや魚網を適当な大きさの方形型形状に切り取って分割したものが多い反面、集積したゴミ（特に家庭から排出されるゴミ）には生ゴミが含まれているので、ゴミ回収車が回収にやってくるまでの間に、前記ネットがあるにも拘わらず、カラスによって、特にネット周辺部のゴミ袋が破られ、その結果、生ゴミが地面に散乱されるという問題が生じている。このため町内会や団地の管理組合、行政機関等は、カラス対策に悩まされているのが実情である。
【０００４】
そこで、カラスによるこのような実害対策として、従来、ネットに異なる色彩を有する布を逢着し、目玉模様でカラスを威嚇するカラス用ゴミカバーネットが提案されている（特開平１０−１０８６１１号）。しかし、この提案は、ネットの形状が傘状であるため、対角線方向に至るまで山のように集積されたゴミに被せるには不自由分であるという問題点があった。また、布が局部的に破れた場合には使い物にならないという問題点があった。
本願の発明者は、長年の研究の結果、ネットに新規な工夫を施すことによって、鳥、特にカラスが寄り付かないことを実験により知見し、新規な鳥害防止用ネットを創作した。
【０００５】
【発明が解決しようとする課題】
本発明の第１の目的は、鳥、特にカラスが寄り付かない鳥害防止用ネットを提案することである。例えばカラスはネット本体の間隙部からゴミ袋を容易に突っつくことができない。非公知態様での実験の結果、集積中のゴミ袋がカラスによって荒らされたことがない。第２の目的は、対角線方向に至るまで山のように集積されたゴミを全体的にカバーすることができると共に、ゴミ袋を入れる際にも使用中のネットの周辺部を容易に持ち上げて入れることができることである。第３の目的は、軽量性に優れ、持ち運びが容易である、折り畳みも可能である、耐久性に優れているなどネットとしての利点をそのまま活用することができることである。第４の目的は、ネット本体の周辺部が地面から多少浮き上がっても、ゴミ袋がネットから容易に食み出ないことである（カラスの足に引っ掛かる障害物が残ることである）。第５の目的は、簡単、かつ、安価に製作することができることである。
【０００６】
【課題を解決するための手段】
本発明の鳥害防止用ネットは、一色無模様のネット本体と、このネット本体の色と相俟って視覚上ネット模様を形成する色彩を有し、かつ、該ネット本体に編付けられる編着糸とから成る。
【０００７】
上記構成に於いて、編着糸がネット本体に対して連続的な波状の膨らみ部を有するように連結されていることを特徴とする。また、編着糸の端部が、ネット本体の周辺糸からフリンジ状に食み出していることを特徴とする。さらに、ネット本体の色は緑系或いは青色系の有彩色であるのに対し、編着糸は金色系或いは黄色系の有彩色であることを特徴とする。
【０００８】
【発明の実施の形態】
図１乃至図５は、本発明の第１実施例を示す各説明図である。Ｘは鳥害防止用ネットで、この鳥害防止用ネットＸは、特にカラスの被害対策として用いられる。すなわち、鳥害防止用ネットＸは、主に町内会や団地内で管理するゴミ収集場に集積されたゴミ袋をカバーするために使用される。したがって、鳥害防止用ネットＸは、所要の大きさに設定されている。
【０００９】
１はネットＸを構成する一色無模様のネット本体である。ネット本体１は、ポリエチレン、ナイロン、テトロンなどの合成樹脂製の網用糸で網状に作られている。普通一般に集合住宅内のゴミ集積には、ゴルフネットや魚網を適当な大きさの方形型形状に切り取って分割したものが使用されているが、本実施例のネット本体も、もちろん、ゴルフネットや魚網を用い、かつ、格子状或いは菱形状の網目を有するようにネット本体１を形成しても良い。
【００１０】
ネット本体１について、模式的な図５を基準にすると、略所定間隔を有して配列された水平ないし弧状の縦糸１ａと、同じく略所定間隔を有して配列され、かつ、この縦糸１ａと交差する水平ないし弧状の横糸１ｂと、縦糸１ａ及び横糸１ｂの各端部を連結する矩形枠状の水平的周辺糸１ｃとから成る。本実施例では、水平的縦糸１ａ、水平的横糸１ｂ及び水平的周辺糸１ｃは、有彩色の一つである「緑色」をしており、かつ、撥水性の機能を有している。もちろん、縦糸１ａ、横糸１ｂ及び周辺糸１ｃは一本の糸であっても良い。
【００１１】
２はネット本体１の色と相俟って視覚上ネット模様を形成する色彩を有し、かつ、該ネット本体１に編付けられる編着糸である。ここで「ネット模様」とは、縦糸１ａ又／及び横糸１ｂ又は／及び周辺糸１ｃの色に対して編着糸２の色が、視覚上、明度差のトーンが異なることをいう。したがって、本実施例では、編着糸２の色は、有彩色の一つである「金色」を呈している。つまり、編着糸２の色はネット本体１の色とは異なり、ネットＸは、少なくとも二色以上である（ここでは二色以上を模様と定義する）。
【００１２】
図６は編着糸２の全体の概略平面図である。なお、この概略平面図は、他の図と同様に編着糸２を便宜上説明するための模式的な図であるから、実際のネットの網目はもっと細かい。
【００１３】
編着糸２について、図６を基準にして説明すると、２ａはネット本体１の縦糸１ａに対応する波状縦糸、２ｂはネット本体１の横糸１ｂに対応する波状横糸、２ｃは波状縦糸２ａ及び波状横糸２ｂの両糸に交差連結する対角線波状糸である。したがって、本実施の編着糸２は、ネット本体１に対して連続的な波状の膨らみ部３を有するように結び付けられている。また、本実施例では、波状縦糸２ａ、波状横糸２ｂ及び対角線波状糸２ｃは、それぞれ同じ太さであり、かつ、同一の色（金色或いは黄色）をしている。
【００１４】
なお、前述したようにネットＸは、少なくとも二色以上であることが必要である旨を説明したが、これは、例えばネット本体１が一色無模様であるのに対し、編着糸２の波状縦糸２ａと、波状横糸２ｂの色がそれぞれネット本体１の色彩と異なる場合（ネットが三色）も含まれることを意味する。
【００１５】
ところで、本実施例では、編着糸２を構成する前記波状縦糸２ａ、波状横糸２ｂ、それに対角線波状糸２ｃの各端部は、ネット本体１の周辺糸１ｃからフリンジ状或いは所定間隔を有してバラバラに食み出している。この食み出し糸４の長さは、例えば１０ｃｍ〜２０ｃｍである。
【００１６】
なお、要部を拡大して示す説明図（図２，図４）に於いて、各糸が交差した部分（黒塗りした部分）は、結び目或いは連結部５を意味する。
【００１７】
【実施例】
ネットの実施例として、次のような態様がある。第１の実施例は、「ネット本体の色は有彩色（例えば緑系、青系など）＋編着糸の色も有彩色（例えば黄色系、金色系など）」である。また第２の実施例は、「ネット本体の色は無彩色（例えば白、黒など）＋編着糸の色は有彩色（例えば黄色系、金色系など）」である。さらに第３の実施例は、「ネット本体の色は有彩色（例えば黄色系、金色系など）＋編着糸の色は無彩色（例えば白、黒など）」である。
【００１８】
【発明の効果】
以上の説明から明らかなように、本発明にあっては、次に列挙するような作用・効果がある。
（１）図７で示すように、自治体（例えば東京都）が指定するゴミ袋Ｙに、カラスの好きそうな生ゴミ（残飯）を入れ、かつ、ネットＸをカバーして一ヶ月間程度観察した結果、ネットＸには、全くカラスが寄り付かなかった。この実験結果でのネットＸは、そのネット本体１の色は緑系の有彩色であるのに対し、編着糸２は金色系或いは黄色系の有彩色であった。
（２）また、上記と同様にネットＸをカバーして一ヶ月間程度観察した結果、ネットＸには、全くカラスが寄り付かなかった。この実験結果でのネットＸ１は、そのネット本体１の色は青系の有彩色であるのに対し、編着糸２は金色系或いは黄色系の有彩色であった。
（３）対角線方向に至るまで山のように集積されたゴミを全体的にカバーすることができると共に、ゴミ袋を入れる際にも使用中のネットの周辺部を容易に持ち上げて入れることができる
（４）軽量性に優れ、持ち運びが容易である、折り畳みも可能であるなど従来のネットが有する利点をそのまま活用することができる。また、従来のネットをそのまま利用することもできる。（５）ネット本体の周辺部が地面から多少浮き上がっても、編着糸の各端部がネット本体の枠状周辺糸から外方向にフリンジ状に食み出しているので、ゴミ袋がネットから容易に食み出ない。また、フリンジ状の編着糸の各端部は、カラスの足に引っ掛かる障害物となるので、カラスはネット本体に接近しない。
（６）構造がシンプルなので、簡単、かつ、安価に製作することができる。また、耐久性にも優れている。
【図面の簡単な説明】
図１乃至図７は本発明の一実施例を示す各説明図。
【図１】斜視からの概略説明図。
【図２】図１に於いて、要部の拡大概略説明図。
【図３】平面からのネットの模式的な説明図（連結部省略）。
【図４】図３に於いて、要部の拡大概略説明図。
【図５】平面からのネット本体の模式的な説明図。
【図６】平面からの編着糸の模式的な説明図。
【図７】実験の状態を示す概略説明図。
【符号の説明】
Ｘ…ネット、１…ネット本体、２…編着糸、３…波状膨らみ部、４…食み出し糸、５…連結部。
【図１】
0003736756.tif 000002
【図２】
0003736756.tif 000003
【図３】
0003736756.tif 000004
【図４】
0003736756.tif 000005
【図５】
0003736756.tif 000006
【図６】
0003736756.tif 000007
【図７】
0003736756.tif 000008